(57)【特許請求の範囲】
【請求項１】
プーリ間に掛架されてワークを挟持しながら対向して走行する一対のエンドレスベルトと、該一対のエンドレスベルトを介して該ワークを加圧する加圧手段と、からなり、
前記一対のエンドレスベルトはそれぞれが金属ベルトまたは金属ベルトを基材としその表面に耐熱性および非粘着性を具える樹脂皮膜層で形成される積層ベルトであり、
前記加圧手段は前記一対のエンドレスベルトのそれぞれの裏面に配置される一対のブロック状の押圧体であって、内部に加熱手段を具え平滑な摺動面には低摩擦摩耗性、耐熱性および強靱性を有するシート状の滑りシートが着脱可能に張着され、
前記押圧体は熱伝導率１００Ｗ／ｍＫ以上かつビッカーズ硬度４０〜２００Ｈｖの金属であって、アルミニウム、アルミニウム合金、銅、銅合金、鉄、鉄合金の内の一つあるいはこれらの組み合わせで形成されている、ことを特徴とするダブルベルト式加圧装置。
【請求項２】
前記滑りシートはフッ素系樹脂を含浸させまたは被覆させたガラス繊維の織布で形成されている、ことを特徴とする請求項１に記載のダブルベルト式加圧装置。
【請求項３】
前記積層ベルトにおいてはその基材は厚さ０．０５ｍｍ〜１．０ｍｍのステンレススチールベルトであり、樹脂皮膜層はフッ素樹脂粉末を含むポリイミド樹脂、ポリアミド樹脂またはポリイミドアミド樹脂の内のいずれかである、ことを特徴とする請求項１または請求項２に記載のダブルベルト式加圧装置。
【請求項４】
前記押圧体内の下流側には断熱用隔壁を隔てて冷却手段が具設される、ことを特徴とする請求項１ないし請求項３のいずれかに記載のダブルベルト式加圧装置。
【請求項５】
前記一対のエンドレスベルトのそれぞれの裏面には前記押圧体の上流側に一対の押圧ロールが配置されている、ことを特徴とする請求項１ないし請求項４のいずれかに記載のダブルベルト式加圧装置。
【発明の詳細な説明】
【技術分野】
【０００１】
本発明は、エンドレスベルト上でワークを加圧するダブルベルト式加圧装置に関する。
【背景技術】
【０００２】
対向する一対のエンドレスベルト間でワークを加圧しながら加熱し、部材同士を貼り合わせ、接着、刻印、成形等を行うダブルベルト式加圧装置に関しては、例えば、特開２００２−００１７４８号公報、特開２００５−１８７９８２号公報、特開２０１０−１５５２６３号公報および特開２０１４−２３７２３５号公報に開示の技術がある。
【０００３】
特開２００２−００１７４８号公報に開示の技術は、発明の名称を「化粧ボードの製造方法」と称し、「表面保護層に電離放射線硬化性樹脂皮膜層を設けた化粧シートを木質板に積層した化粧板は、メラミン化粧板に比較して、低コストで製造できるが、衝撃による耐陥没性、耐擦傷性、耐シガレット性が劣っている。」ことを課題としていて、その解決手段を「半硬化の架橋型樹脂を含浸した紙等の繊維質基材の表面に、絵柄層及び硬化した電離放射線硬化性樹脂からなる透明な保護層を設けた化粧シートの裏面を、ダブルベルトプレス装置等の連続的に加熱プレスできる装置を用いて、ＭＤＦ（中密度繊維板）、パーチクルボード等の木質板の表面（又は両面）に連続的に加熱プレスして接着することにより、化粧シートの半硬化の架橋型樹脂を架橋、硬化せしめて、表面に耐陥没性、耐擦傷性、耐シガレット性等に優れた物性を付与する化粧ボードを製造する。」こととしている。また、特開２００５−１８７９８２号公報に開示の技術は、発明の名称を「画像記録材料用支持体及びその製造方法、並びに、画像記録材料」と称し、「小さなうねりに起因する光沢性に優れると共に、大きなうねりに起因する平面性にも極めて優れ、更に剛性にも優れる画像記録材料用支持体及びその製造方法、並びに、該画像記録材料用支持体を用いた画像記録材料の提供。」を課題としていて、その解決手段を「基紙が、ダブルベルト式加熱加圧装置を用いて加熱加圧処理されてなる画像記録材料用支持体、及び、該画像記録材料用支持体と、該支持体上に画像記録層とを有する画像記録材料である。また、基紙が、ダブルベルト式加熱加圧装置を用いて加熱加圧処理される加熱加圧処理工程を含むことを特徴とする画像記録材料用支持体の製造方法である。前記ダブルベルト式加熱加圧装置は、基紙を介して互いに当接可能に対向配置された第一のベルト部材及び第二のベルト部材と、該第一のベルト部材及び該第二のベルト部材と前記画像記録材料用支持体とが当接する当接部を加圧可能に配置された加圧手段とを有するものが好ましい。」としている。
【０００４】
また、特開２０１０−１５５２６３号公報に開示の技術は、発明の名称を「ダブルベルトプレス装置」と称し、「互いに貼り付け合わされるラミネート材間に潜在するエアをスムーズに外部に排出して気泡が作られるのを防止し、かつ、圧着性にも優れたダブルベルトプレス装置を提供する。」ことを課題としていて、その解決手段を「一対のエンドレスベルト同士で形成している入口側における第１圧着ロール間のクリアランスを排出側における圧着ロール間のクリアランスより大きく形成して成る。また、第１圧着ロールの少なくとも一方は、幅方向の中央部から両端部にかけて外径が徐々に小さくなる紡錘形状に形成され、かつ、それ以外の圧着ロールは両端部間に亘って外径がほぼ等しい円柱形状に形成され、かつ、エンドレスベルトは第１圧着ロールからラミネート材が排出されて行く側に配設された圧着ロールとに掛装して成る。」こととしている。また、特開２０１４−２３７２３５号公報に開示の技術は、発明の名称を「繊維質成形体の製造方法」と称し、「繊維マットを押圧しながら、加熱・冷却して繊維質成形体を製造しても、熱可塑性樹脂繊維や繊維マットが装置に付着することを抑制できる繊維質成形体の製造方法を提供する。」ことを課題としていて、その解決手段を「植物性繊維が結着された構造を有する繊維質成形体の製造方法であって、植物性繊維と芯鞘構造をなす熱可塑性樹脂繊維とを含む繊維マットを、表裏両面から押圧しながら、熱可塑性樹脂繊維の鞘部を溶融させたのち固化する第１の溶融固化工程を備え、熱可塑性樹脂繊維は、芯部が第１の熱可塑性樹脂から形成され、且つ、鞘部が第２の熱可塑性樹脂から形成されており、第１の熱可塑性樹脂は、変性熱可塑性樹脂を含み、第２の熱可塑性樹脂は、前記第１の熱可塑性樹脂よりも融点が低く、且つ、非変性熱可塑性樹脂である。」としている。
【０００５】
ところで、ダブルベルト式加圧装置においてはベルトの裏側から強い力で加圧する必要があるため、同時に加熱する場合には摩擦の少ない液状媒体を用いたり（特開２００５−１８７９８２号公報に開示の技術）、ロールを用いたりして（特開２００２−００１７４８号公報、特開２０１０−１５５２６３号公報および特開２０１４−２３７２３５号公報に開示の技術）、ベルトと加圧手段の摩擦摩耗をできる限り少なくする工夫がされていた。
【先行技術文献】
【特許文献】
【０００６】
【特許文献１】特開２００２−００１７４８号公報
【特許文献２】特開２００５−１８７９８２号公報
【特許文献３】特開２０１０−１５５２６３号公報
【特許文献４】特開２０１４−２３７２３５号公報
【発明の概要】
【発明が解決しようとする課題】
【０００７】
しかしながら、「液状媒体」を用いる装置は、液状媒体が漏出しないように精度のあるシールが不可欠であり、このため、シールに関する装置が大掛かりとなるとともに高度の精密性が要求されることから高コストに成らざるを得なかった。また、長期間の使用によるシール部の劣化という保守管理上の問題もあった。
【０００８】
一方、「ロール」を用いる装置では、ベルトをロールで押圧するため、どうしても線接触となり、一定範囲のベルト全体を均一に加圧、加熱することが難しかった。また、ベルトを局部的に裏側から押圧するため、ベルトの変形も無視できず、複数個のロールでベルトを押圧する場合は、ベルトが波打ってベルト寿命にも悪い影響を与えていた。
【０００９】
そこで、本願発明は、単純な仕組みで加熱加圧することができ保守管理も容易に行えるダブルベルト式加圧装置を提供することを目的とする。
【課題を解決するための手段】
【００１０】
上記目的を達成するため、本願請求項１に係るダブルベルト式加圧装置は、プーリ間に掛架されてワークを挟持しながら対向して走行する一対のエンドレスベルトと、該一対のエンドレスベルトを介して該ワークを加圧する加圧手段と、からなり、前記一対のエンドレスベルトはそれぞれが金属ベルトまたは金属ベルトを基材としその表面に耐熱性および非粘着性を具える樹脂皮膜層で形成される積層ベルトであり、前記加圧手段は前記一対のエンドレスベルトのそれぞれの裏面に配置される一対のブロック状の押圧体であって、内部に加熱手段を具え平滑な摺動面には低摩擦摩耗性、耐熱性および強靱性を有するシート状の滑りシートが着脱可能に張着され、前記押圧体は熱伝導率１００Ｗ／ｍＫ以上かつビッカーズ硬度４０〜２００Ｈｖの金属であって、アルミニウム、アルミニウム合金、銅、銅合金、鉄、鉄合金の内の一つあるいはこれらの組み合わせで形成されている、ことを特徴としている。
なお、「それぞれが」とは、一対のエンドレスベルトの一方を金属ベルトまたは積層ベルトとしたときに、他方はそれに影響されることなく金属ベルトまたは積層ベルトとすることができる、ことを意味している。
また、本願請求項２に係るダブルベルト式加圧装置は、請求項１に記載のダブルベルト式加圧装置であって、前記滑りシートはフッ素系樹脂を含浸させまたは被覆させたガラス繊維の織布で形成されている、ことを特徴としている。
そして、本願請求項３に係るダブルベルト式加圧装置は、請求項１または請求項２に記載のダブルベルト式加圧装置であって、前記積層ベルトにおいてはその基材は厚さ０．０５ｍｍ〜１．０ｍｍのステンレススチールベルトであり、樹脂皮膜層はフッ素樹脂粉末を含むポリイミド樹脂、ポリアミド樹脂またはポリイミドアミド樹脂の内のいずれかである、ことを特徴としている。
さらに、本願請求項４に係るダブルベルト式加圧装置は、請求項１ないし請求項３のいずれかに記載のダブルベルト式加圧装置であって、前記押圧体内の下流側には断熱用隔壁を隔てて冷却手段が具設される、ことを特徴としている。
また、本願請求項５に係るダブルベルト式加圧装置は、請求項１ないし請求項４のいずれかに記載のダブルベルト式加圧装置であって、前記一対のエンドレスベルトのそれぞれの裏面には前記押圧体の上流側に一対の押圧ロールが配置されている、ことを特徴としている。
【発明の効果】
【００１１】
上記構成により本願発明は以下の効果を奏する。
（１）エンドレスベルトの裏面に配置する加圧手段としてブロック状の押圧体を使用し、その内部に加熱手段を具えているため、エンドレスベルトとは面接触となって一定範囲（押圧範囲）のエンドレスベルト全体を均一に加圧、加熱することでき、エンドレスベルトが波打つこともない。また、押圧体の摺動面には低摩擦摩耗性、耐熱性および強靱性を有する滑りシートが着脱可能に張着されているため、押圧体とエンドレスベルトとは直接接することがなく、押圧体およびエンドレスベルト共に摩耗や擦傷を防止することができ、滑りシートのみの交換で済ませることができて保守管理が容易である。なお、低摩擦摩耗性、耐熱性および強靱性を有する滑りシートには、フッ素系樹脂を含浸させまたは被覆させたガラス繊維の織布が適している。
（２）押圧体にはベルトに速やかに熱を伝達するための高熱伝導率を有し、高温高圧で変形することのない性能が要求される。出願人の実験を通した知見からこれらの性能を満たすのは熱伝導率１００Ｗ／ｍＫ以上かつビッカーズ硬度４０〜２００Ｈｖの金属である必要があることが判明した。具体的にはアルミニウム、アルミニウム合金、銅、銅合金、鉄、鉄合金などが適している。
（３）エンドレスベルトに積層ベルトを使用した場合には、積層ベルトは金属ベルトを基材としその表面を耐熱性および非粘着性を具える樹脂皮膜層としているため、高温で加圧されるワークの一部溶解によるベルト自身の汚染を防止することができるとともに、性能の劣化を防止することができる。なお、エンドレスベルトの基材を厚さ０．０５ｍｍ〜１．０ｍｍのステンレススチールベルトとすることにより、上記金属ベルトに要求される性能を満たすばかりでなく、加工性に優れるとともに耐久性にも優れたものとなる。また、エンドレスベルトの樹脂皮膜層に使用する樹脂には耐熱性および非粘着性を具え金属と相性の良いことが要求されるが、該当する樹脂としては、いずれも非粘着性かつ耐熱性のあるフッ素樹脂粉末を含むポリイミド樹脂、ポリアミド樹脂またはポリイミドアミド樹脂が挙げられる。
（４）押圧体の下流側に断熱用隔壁を隔てて冷却手段を具えることにより、加熱されたワークを１つの工程で短時間に常温に戻すことができる。
（５）ワークを押圧する際にベルトや押圧体に最も負荷が掛るのは押圧開始部分であるので、押圧体の上流側にあって一対のエンドレスベルトのそれぞれの裏面に一対の押圧ロールを配置することにより、ベルトおよび押圧体の摩耗や損傷を軽減することができる。また、フィルムのラミネートなどをワークとした場合には、押圧ロールの設置により、フィルム間の空気を効率よく逃がすことができ、優れた品質のラミネート積層物を製造することができる。
【図面の簡単な説明】
【００１２】
【図１】図１は、ダブルベルト式加圧装置の側面模式図である。
【図２】図２は、図１におけるII部分の断面模式図である。
【００１３】
以下、本願発明を実施するための形態に係るダブルベルト式加圧装置について、図１および図２に基づいて説明する。なお、図１および図２において、符号１は実施例に係るダブルベルト式加圧装置、符号１０ａおよび１０ｂはエンドレスベルト（積層ベルト）、符号１１は基材、符号１２は樹脂皮膜層、符号１３ａおよび１３ｂはプーリ、符号１４ａおよび１４ｂは押圧体、符号１４１は加熱手段、符号１４２は冷却手段、符号１４３は隔壁、符号１５は滑りシート、符号１６ａおよび１６ｂは押圧ロール、符号２０はワーク、である。
【００１４】
ダブルベルト式加圧装置１は、主に、一対のプーリ１３ａ、１３ａに掛架されるエンドレスベルト１０ａと、エンドレスベルト１０ａの上方に対向して一対のプーリ１３ｂ、１３ｂに掛架されるエンドレスベルト１０ｂと、エンドレスベルト１０ａの裏面に配置される押圧ロール１６ａおよび押圧体１４ａと、押圧体１４ａに対向してエンドレスベルト１０ｂの裏面に配置される押圧ロール１６ｂおよび押圧体１４ｂと、から構成されていて、エンドレスベルト１０ａおよびエンドレスベルト１０ｂの走行方向から見て押圧ロール１６ａおよび押圧ロール１６ｂはそれぞれ押圧体１４ａおよび押圧体１４ｂの上流側に配置されている。
【００１５】
エンドレスベルト１０ａおよびエンドレスベルト１０ｂは、対向する面が同一方向に同一速度で走行するようになっていて、一対のプーリ１３ａ、１３ａの離間距離および一対のプーリ１３ｂ、１３ｂの離間距離は調整可能となっているとともに、一対の押圧ロール１６ａ、１６ｂおよび一対の押圧体１４ａ、１４ｂの離間距離も調整可能となっている。
【００１６】
そして、エンドレスベルト１０ａおよびエンドレスベルト１０ｂは共に積層ベルトであって、基材１１と樹脂皮膜層１２の積層構造となっていて、実施例では、基材１１にはステンレススチールのＳＵＳ３０４Ｈ材を使用し、樹脂皮膜層１２にはフッ素系樹脂の微粉末を使用しバインダー（接合剤）としてポリアミド樹脂、ポリイミド樹脂およびポリアミドイミド樹脂のいずれかを使用している。なお、エンドレスベルトには積層ベルトに代えて、単層の金属ベルトを使用することもできることは勿論である。
【００１７】
押圧体１４ａは、アルミニウム、アルミニウム合金、銅、銅合金、鉄、鉄合金のうちのいずれかから成る金属製ブロックであって、エンドレスベルト１０ａの走行方向に直交する方向に設置された隔壁１４３に区切られて直列に並んだ２つのブロックが形成され、上流側のブロックには加熱手段１４１が内設され下流側のブロックには冷却手段１４２が内設されている。実施例では、加熱手段１４１としては加熱用ヒータが埋設され、冷却手段１４２としては冷却用冷媒パイプが埋設されている。なお、押圧体１４ｂも押圧体１４ａと同様の構成となっていて、押圧体１４ａおよび押圧体１４ｂの離間距離は調整可能であり、かつ、押圧体１４ａおよび押圧体１４ｂの相対的な加圧力も調整可能となっている。
【００１８】
押圧体１４ａおよび押圧体１４ｂの平滑な摺動面には、滑りシート１５が着脱可能に張着されている。この滑りシート１５はガラス繊維から成る織布にフッ素系樹脂を含浸させたシート状のものであり、薄いと摺動時に切れやすくなり厚いと熱伝導が悪くなることから、概ね０．０５ｍｍないし３．０ｍｍ程度のものが適している。
【００１９】
つぎに、ダブルベルト式加圧装置１の使用例について説明する。
ワーク２０の物性や加工条件等を考慮して、押圧ロール１６ａ、１６ｂの離間距離、押圧体１４ａおよび押圧体１４ｂの離間距離、加圧力、加熱温度、冷却温度等を設定する。さらに、プーリ１３ａ、１３ａ、およびプーリ１３ｂ、１３ｂの間隔を調整して、エンドレスベルト１０ａおよびエンドレスベルト１０ｂの張力を調整するとともに、走行速度を調整する。なお、押圧ロール１６ａ、１６ｂの離間距離は押圧体１４ａおよび押圧体１４ｂの離間距離以上となるようにセットされる。
【００２０】
走行するエンドレスベルト１０ａ上にワーク２０を載置すると、ワーク２０はエンドレスベルト１０ａやエンドレスベルト１０ｂを介して押圧ロール１６ａ、１６ｂおよび押圧体１４ａ、１４ｂに挟持されながら加圧されると同時に加熱されて所定の目的物に加工され、さらに冷却されてエンドレスベルト１０ａ上に送出されてくる。なお、ダブルベルト式加圧装置１の所定の稼働時間経過後には滑りシート１５を交換するようにする。
【００２１】
ここで、ダブルベルト式加圧装置１を用いた加熱加圧試験について説明する。
本試験の仕様は以下の通りである。
エンドレスベルト：厚さ０．３ｍｍのステンレススチールを基材にしてその表面にフッ素系樹脂の微粉末とポリアミド樹脂ポリイミド樹脂の混合物を塗布
押圧体：アルミニウム製の筐体
エンドレスベルトの走行速度：０．５ｍ／ｍｉｎ
エンドレスベルトの最少間隙：２ｍｍ
ワーク：５ｍｍ（幅）×５ｍｍ（長さ）×４ｍｍ（厚さ）のポリプロピレンの樹脂片
加圧温度：１６０℃
【００２２】
試験結果では、ワークは上下二つのエンドレスベルトに挟まれて加圧、加熱され、２ｍｍの厚さに成形されて送出された。半溶解したワークはエンドレスベルトに粘着することなく回収することができ、エンドレスベルト自体の汚染も皆無であった。
【符号の説明】
【００２３】
１  実施例に係るダブルベルト式加圧装置
１０ａ、１０ｂ  エンドレスベルト
１１  基材
１２は樹脂皮膜層
１３ａ、１３ｂ  プーリ
１４ａ、１４ｂ  押圧体
１４１  加熱手段
１４２  冷却手段
１５  滑りシート
１６ａ、１６ｂ  押圧ロール
２０  ワーク
【要約】
【課題】単純な仕組みで加熱加圧することができ保守管理も容易に行えるダブルベルト式加圧装置を提供する。
【解決手段】プーリ間に掛架されてワークを挟持しながら走行する一対のエンドレスベルトと該一対のエンドレスベルト間で該ワークを加圧するとともに加熱する加圧・加熱手段とからなり、前記一対のエンドレスベルトは金属ベルトまたは金属ベルトを基材としその表面に耐熱性および非粘着性を具える樹脂皮膜層で形成される積層ベルトであり、前記加圧・加熱手段は前記一対のエンドレスベルトのそれぞれの裏面に配置される一対のブロック状の押圧体であって内部に加熱手段を具え、平滑な摺動面には低摩擦摩耗性、耐熱性および強靱性を有するシート状の滑りシートが着脱可能に張着されている、構成とした。
【選択図】図１【図１】
0005936217.tif 000002
【図２】
0005936217.tif 000003